(57)【特許請求の範囲】
【請求項１】
複数の対象空間（Ｒａ、Ｒｂ・・・）と、前記複数の対象空間（Ｒａ、Ｒｂ・・・）それぞれに対して仕切板（Ｄａ、Ｄｂ・・・）を介して接しており、外壁を介して屋外と仕切られており、少なくとも廊下、ロビーおよび吹き抜け空間のいずれかを含んでおり人間が滞在しうる共用空間（ＣＳ）と、を対象として屋外（ＯＳ）の空気（ＯＡ）を用いて換気を行う換気システム（１００）であって、
前記外壁に設置されており、前記屋外の空気（ＯＡ）を前記共用空間（ＣＳ）に取り込む外気処理ユニット（１０）と、
前記対象空間（Ｒａ、Ｒｂ・・・）毎に対応して設けられ、前記共用空間（ＣＳ）の空気（ＣＡ）を前記対象空間（Ｒａ、Ｒｂ・・・）に送る複数の対象空間ユニット（２０、２０ａ、２０ｂ・・・）と、
を備え
前記対象空間ユニット（２０）は、少なくとも前記対象空間（Ｒａ、Ｒｂ・・・）に送られる前記共用空間（ＣＳ）の空気を調和させる対象空間空調部を有している、
換気システム（１００）。
【請求項２】
前記外気処理ユニット（１０）の数は、前記対象空間ユニット（２０、２０ａ、２０ｂ・・・）の数よりも少ない、
請求項１に記載の換気システム（１００）。
【請求項３】
前記対象空間ユニット（２０、２０ａ、２０ｂ・・・）は、前記共用空間（ＣＳ）の空気（ＣＡ）および前記対象空間（ＲＡ１、ＲＡ２・・・）の空気のみを対象として調和を行う、
請求項１または２に記載の換気システム（１００）。
【請求項４】
前記対象空間ユニット（２０、２０ａ、２０ｂ・・・）との間で冷媒が循環するように接続された少なくとも２つ以上の室外機（３０、３０ａ、３０ｂ）をさらに備えた、
請求項１から３のいずれか１項に記載の換気システム（１００）。
【請求項５】
前記外気処理ユニット（１０、１０ａ、１０ｂ）は、複数台設けられ、
前記外気処理ユニット（１０、１０ａ、１０ｂ）との間で冷媒が循環するように接続された少なくとも２つ以上の室外機（３０、３０ａ、３０ｂ）または熱源ユニットをさらに備えた、
請求項１から４のいずれか１項に記載の換気システム（１００）。
【請求項６】
前記対象空間ユニット（２０、２０ａ、２０ｂ・・・）は、前記対象空間（Ｒａ、Ｒｂ・・・）に向けて開口している第１対象側通気口（８１）および第２対象側通気口（８２）と前記共用空間（ＣＳ）に向けて開口している共用側通気口（８３）とが形成されたケーシング（２８）と、少なくとも前記共用側通気口（８３）および前記第１対象側通気口（８１）のいずれか一方から前記ケーシング（２８）内部に取り込まれる空気との間で熱交換を行う熱交換器（２６）と、を有している、
請求項１から５のいずれか１項に記載の換気システム（１００）。
【請求項７】
前記対象空間ユニット（２０、２０ａ、２０ｂ・・・）は、前記熱交換器（２６）と前記第２対象側通気口（８２）との間に配置され、回転駆動することにより前記熱交換器（２６）側を負圧にする送風ファン（２９）をさらに有している、
請求項６に記載の換気システム（１００）。
【請求項８】
前記熱交換器（２６）は、前記ケーシング（２８）内部を前記第１対象側通気口（８１）近傍の空間と前記第２対象側通気口（８２）近傍の空間とを仕切る位置に配置され、
前記第１対象側通気口（８１）は、略鉛直方向に開口しており、
前記第２対象側通気口（８２）は、略水平方向に開口している、
請求項６または７に記載の換気システム（１００）。
【請求項９】
前記対象空間ユニット（２０、２０ａ、２０ｂ・・・）は、前記共用空間（ＣＳ）と前記複数の対象空間（Ｒａ、Ｒｂ・・・）との間の前記各仕切板（Ｄａ、Ｄｂ・・・）をまたぐ天井近傍に設置されている、
請求項１から８のいずれか１項に記載の換気システム（１００）。
【請求項１０】
前記対象空間ユニット（２０、２０ａ、２０ｂ・・・）は、前記各仕切板（Ｄａ、Ｄｂ・・・）と伴に、前記共用空間（ＣＳ）と前記複数の対象空間（Ｒａ、Ｒｂ・・・）とを仕切っている、
請求項１から８のいずれか１項に記載の換気システム（１００）。
【請求項１１】
前記外気処理ユニット（１０）は、前記屋外から前記共用空間（ＣＳ）に取り込まれる空気を調和させる共用空間空調部をさらに有している、
請求項１から１０のいずれか１項に記載の換気システム（１００）。
【請求項１２】
前記共用空間空調部は、前記複数の対象空間（Ｒａ、Ｒｂ・・・）において略共通して要求されている共通空気調和データ、もしくは、平均して要求されている平均空気調和データを取得し、前記取得したデータに応じて調和空気を前記共用空間に吹き出す制御を行う、
請求項１１に記載の換気システム（１００）。
【請求項１３】
冷媒が前記外気処理ユニット（１０）を含んで循環することで冷凍サイクルを構成する冷媒回路をさらに備え、
前記外気処理ユニット（１０）は、前記冷媒回路を流れる冷媒の温度によって冷却または加熱されることで空気中の水分の吸着または再生を行う吸着部（１６）をさらに有している、
請求項１から１２のいずれか１項に記載の換気システム（１００）。
【請求項１４】
前記対象空間ユニット（２０、２０ａ、２０ｂ・・・）は、空気の温度、湿度および鮮度から選ばれる少なくとも１つの値に関する所定条件を満たすか否かを判定する判定部をさらに有し、前記判定部の判定結果により得られる前記所定条件の値との差異に応じて定まる量の前記共用空間（ＣＳ）の空気（ＣＡ）を前記対象空間（Ｒａ、Ｒｂ・・・）に送る、
請求項１から１３のいずれか１項に記載の換気システム。
【請求項１５】
前記共用空間の温度を検知する共用空間温度センサ（１１）と、
前記対象空間の温度を検知する対象空間温度センサ（２１）、もしくは、対象空間の目標温度を設定する設定温度検知部（２７）の少なくともいずれか一方と、
前記対象空間温度センサ（２１）による検知温度もしくは前記対象空間の設定温度と、前記共用空間温度センサ（１１）による検知温度と、の差異または比率に応じて空調負荷を抑えるように前記共用空間から前記対象空間への空気の取込量を調節する取込量調節部（２７）と、
をさらに備えた、
請求項１から１４のいずれか１項に記載の換気システム（１００）。
【発明の詳細な説明】
【技術分野】
【０００１】
本発明は、換気システム、特に、複数の部屋と共用スペースとが設けられた建物の換気システムに関する。
【背景技術】
【０００２】
従来より、一般的な換気システムとして、所定の空間内に屋外の空気（外気）を取り込んで換気を行うために、外気ダクトを設けられて、所定空間と屋外とが通じるように構成されたものが知られている。
【０００３】
このような換気システムでは、例えば、以下に示す特許文献１に記載の換気システムにように、部屋とトイレとの間の空間に対して外気を導入することで換気を行っているものがある。この換気システムによると、部屋とトイレとの間の空間に導入された外気によって、部屋側に向かう空気流れと、トイレ側に向かう空気流れとが形成され、部屋およびトイレの換気を行っている。そして、このような部屋とトイレ等の複数の部屋を換気する場合に、特定の部屋の汚染空気（例えば、トイレの臭気）等が他の換気対象となる部屋に流れていくことがないようにしている。
【特許文献１】特開２００４−２３９５６８号公報
【発明の開示】
【発明が解決しようとする課題】
【０００４】
ところが、特許文献１に示された換気システムでは、部屋やトイレ等の換気を行うことで各部屋における快適性の向上を図っているが、単に換気を行うだけでは快適性を充分に得られないことがある。
【０００５】
本発明は上述した点に鑑みてなされたものであり、本発明の課題は、複数の空間および複数の空間それぞれに隣接した空間を対象として換気を行う場合において各空間の快適性を効率的に向上させることが可能な換気システムを提供することにある。
【課題を解決するための手段】
【０００６】
第１発明に係る換気システムは、複数の対象空間と、複数の対象空間それぞれに対して仕切板を介して接しており、外壁を介して屋外と仕切られており、少なくとも廊下、ロビーおよび吹き抜け空間のいずれかを含んでおり人間が滞在しうる共用空間と、を対象として屋外の空気を用いて換気を行う換気システムであって、外気処理ユニットと、複数の対象空間ユニットとを備えている。外気処理ユニットは、外壁に設置されており、屋外の空気を共用空間に取り込む。複数の対象空間ユニットは、対象空間毎に対応して設けられており、共用空間の空気を対象空間に送る。そして、これらの対象空間ユニットは、少なくとも対象空間に送られる共用空間の空気を調和させる対象空間空調部を有している。ここで、対象空間空調部が対象として空調する空気には、共用空間の空気だけに限られず、他の空間の空気を混ぜて空調する場合も含まれる。また、調和としては、例えば、空気の温度調節や、花粉や粉塵等を除去することによる清浄化等が含まれる。
【０００７】
従来の換気システムでは、屋外の空気を導入する空間を介して、隣接する複数の空間の換気を行っているが、各隣接空間の快適性を充分に向上させることができない場合がある。
【０００８】
これに対して、第１発明の換気システムでは、複数の対象空間それぞれに隣接している共用空間を対象として外気処理ユニットが屋外の新鮮な空気を取り込んでいる。そして、各対象空間に対応して設けられている対象空間ユニットでは、各対象空間それぞれの換気および対象空間空調部による空調を行うに際して、外気処理ユニットによって共用空間に取り込まれた新鮮な空気を利用することができる。
【０００９】
これにより、共用空間に対して取り込まれて新鮮な空気を、複数の対象空間の換気および空調に利用することができ、共用空間に隣接している複数の対象空間それぞれの快適性を向上させることが可能になる。
【００１０】
また、複数の対象空間は、隣接した空間である共用空間に取り込まれた新鮮な外気を利用して換気を行うことが可能になるため、換気を行うために屋外まで伸びた長いダクト等を別個に設ける必要をなくすることが可能になる。
【００１１】
第２発明に係る換気システムは、第１発明の換気システムであって、外気処理ユニットの数は、対象空間ユニットの数よりも少ない。
【００１２】
ここでは、例えば、１台の外気処理ユニットによって共用空間の換気を行い、複数の対象空間の換気や空調は、この１台の外気処理ユニットによって共用空間に供給された新鮮な空気を利用して行うことができる。
【００１３】
このため、複数の対象空間のそれぞれの換気や空調のために利用される共用空間の空気を少ない台数の外気処理ユニットによって提供することが可能になる。
【００１４】
第３発明に係る換気システムは、第１発明または第２発明の換気システムであって、対象空間ユニットは、共用空間の空気および対象空間の空気のみを対象として調和を行う。
【００１５】
ここでは、対象空間ユニットは、共用空間の空気および対象空間の空気のみを対象として用いることで対象空間の換気および空調を行う。
【００１６】
これにより、対象空間において調和されて回収されてくる空気を循環させて再度空調することにより空調負荷を低減させつつ、共用空間における新鮮な空気によって対象空間を新鮮な空気で換気することが可能になる。
【００１７】
第４発明に係る換気システムは、第１発明から第３発明のいずれかの換気システムであって、対象空間ユニットとの間で冷媒が循環するように接続された少なくとも２つ以上の室外機をさらに備えている。
【００１８】
ここでは、複数の対象空間ユニットと伴に用いられる場合であっても、１台当たりの容量が小さい室外機を採用することが可能になる。
【００１９】
第５発明に係る換気システムは、第１発明から第４発明のいずれかの換気システムであって、外気処理ユニットは、複数台設けられている。そして、外気処理ユニットとの間で冷媒が循環するように接続された少なくとも２つ以上の室外機または熱源ユニットをさらに備えている。ここでの室外機または熱源ユニットとしては、例えば、外気処理ユニットだけでなく対象空間ユニットをも含めてマルチ接続されているものも含まれる。
【００２０】
ここでは、複数の外気処理ユニットと伴に用いられる場合であっても、１台当たりの容量が小さい室外機または熱源ユニットを採用することが可能になる。
【００２１】
第６発明に係る換気システムは、第１発明から第５発明のいずれかの換気システムであって、対象空間ユニットは、ケーシングと、熱交換器とを有している。ここで、ケーシングは、対象空間に向けて開口している第１対象側通気口および第２対象側通気口と共用空間に向けて開口している共用側通気口とが形成されている。熱交換器は、少なくとも共用側通気口および第１対象側通気口のいずれか一方からケーシング内部に取り込まれる空気との間で熱交換を行う。
【００２２】
ここでは、熱交換器が、共用側通気口および第１対象側通気口のいずれか一方からケーシング内部に取り込まれる空気との間で熱交換を行うことで、温度が調和された空気を対象空間に送ることが可能になる。なお、ここで、熱交換器が熱交換を行う対象となる空気としては、共用側通気口からケーシング内部に取り込まれた空気と、第１対象側通気口からケーシング内部に取り込まれた空気との両方としてもよい。この場合は、これら両方の空気を対象として対象空間に吹き出す空気の温度調整を行うことが可能になる。
【００２３】
第７発明に係る換気システムは、第６発明の換気システムであって、対象空間ユニットは、熱交換器と第２対象側通気口との間に配置され、回転駆動することにより熱交換器側を負圧にする送風ファンをさらに有している。
【００２４】
ここでは、送風ファンは、熱交換器側が負圧になり、第２対象側通気口近傍空間を正圧とする。
【００２５】
これにより、共用側通気口および第１対象側通気口のいずれか一方もしくは両方からケーシング内部に取り込まれた空気の、熱交換器による温度調節をより確実に行うことが可能となる。
【００２６】
また、共用側通気口からケーシング内部に取り込まれた空気および第１対象側通気口からケーシング内部に取り込まれた空気の両方がより確実に熱交換器を通過するようにした場合には、共用空間からの空気が熱交換器側に向かうことなく第１対象側通気口を介して対象空間に吹き出されることを抑えたり、対象空間からの循環空気が共用空間に流れ出てしまうことを抑えることが可能になる。
【００２７】
第８発明に係る換気システムは、第６発明または第７発明のいずれかの換気システムであって、熱交換器は、ケーシング内部を第１対象側通気口近傍の空間と第２対象側通気口近傍の空間とを仕切る位置に配置されている。そして、前記ケーシングの第１対象側通気口は、略鉛直方向に開口しており、第２対象側通気口は、略水平方向に開口している。
【００２８】
ここでは、ケーシングに設けられた、第１対象側通気口が略鉛直方向に向けて開口していることにより、対象空間からの循環空気を下方からケーシング内に取り込むことができる。そして、ケーシングに設けられた、第２対象側通気口が略水平方向に向けて開口していることにより、熱交換器を通じて温度調節された空気を対象空間に向けて略水平方向に吹き出すことができる。
【００２９】
これにより、ケーシングの設置位置が共用空間との仕切板近傍となる場合であっても、対象空間側に向けて調和空気を吹き出すことで、対象空間の効率的な空調が可能になる。
【００３０】
第９発明に係る換気システムは、第１発明から第８発明のいずれかの換気システムであって、対象空間ユニットは、共用空間と複数の対象空間との間の各仕切板をまたぐ天井近傍に設置されている。
【００３１】
ここでは、対象空間ユニットが天井近傍に設けられているため、共用空間と対象空間とを仕切っている仕切板をスッキリとさせることが可能になる。
【００３２】
第１０発明に係る換気システムは、第１発明から第８発明のいずれかの換気システムであって、対象空間ユニットは、各仕切板と伴に共用空間と複数の対象空間とを仕切っている。
【００３３】
ここでは、対象空間ユニットは、仕切板を介して隣接している共用空間の空気を利用する場合に、コンパクトな設計とすることが可能になる。
【００３４】
第１１発明に係る換気システムは、第１発明から第１０発明のいずれかの換気システムであって、外気処理ユニットは、屋外から共用空間に取り込まれる空気を調和させる共用空間空調部をさらに有している。なお、ここでの空気調和としては、例えば、被調和空気に対する熱交換器による熱交換だけでなく、被調和空気の清浄化等も含まれる。
【００３５】
ここでは、複数の各対象空間ユニットは、外気処理ユニットの共用空間空調部によって一端調和されておりなおかつ新鮮な空気を利用して各対象空間の空調を行うことが可能になり、空調負荷を低減させることが可能になる。
【００３６】
第１２発明に係る換気システムは、第１１発明のいずれかの換気システムであって、共用空間空調部は、複数の対象空間において略共通して要求されている共通空気調和データ、もしくは、平均して要求されている平均空気調和データを取得し、取得したデータに応じて調和空気を共用空間に吹き出す制御を行う。
【００３７】
ここでは、外気処理ユニットが外気を共用空間に供給する場合に、取得される共通空気調和データもしくは平均空気調和データを用いることで、複数の対象空間それぞれにおいて必要とされる調和空気を提供することができる。
【００３８】
これにより、対象空間ユニットでは、各対象空間において要求されている空気質に近い空気を利用して空気調和を行うことが可能になるため、空調負荷を全体として低減させることが可能になる。
【００３９】
第１３発明に係る換気システムは、第１発明から第１２発明のいずれかの換気システムであって、冷媒が外気処理ユニットを含んで循環することで冷凍サイクルを構成する冷媒回路をさらに備えている。そして、外気処理ユニットは、冷媒回路を流れる冷媒の温度によって冷却または加熱されることで空気中の水分の吸着または再生を行う吸着部をさらに有している。
【００４０】
ここでは、外気処理ユニットが共用空間に対して供給する空気に含まれる水分を吸着部によって調節することができる。
【００４１】
これにより、複数の対象空間ユニットの熱交換器としては、被調和空気として、湿度が調整された空気を利用することができるため、顕熱熱交換のみを行う簡易な構成のものを採用しつつ、対象空間の湿度調節を行うことが可能になる。
【００４２】
第１４発明に係る換気システムは、第１発明から第１３発明のいずれかの換気システムであって、対象空間ユニットは、空気の温度、湿度および鮮度から選ばれる少なくとも１つの値に関する所定条件を満たすか否かを判定する判定部をさらに有している。そして、対象空間ユニットは、判定部の判定結果により得られる所定条件の値との差異に応じて定まる量の共用空間の空気を対象空間に送る。
【００４３】
ここでは、対象空間ユニットには、共用空間の空気を対象空間に送るか否かを判定するための判定部が設けられている。この判定部は、所定条件を満たすか否かによって対象空間への空気の送り出しを行うか否かを決定している。
【００４４】
これにより、所定条件として対象空間の空調負荷、設定空調状態や間欠的なタイミング等に応じた条件を選択することで、共用空間の空気が過度に対象空間に対して取り込まれることを抑えて省エネ効果を得ることが可能になる。
【００４５】
第１５発明に係る換気システムは、第１発明から第１４発明のいずれかの換気システムであって、共用空間の温度を検知する共用空間温度センサと、対象空間の温度を検知する対象空間温度センサ、もしくは、対象空間の目標温度を設定する設定温度検知部の少なくともいずれか一方と、取込量調節部とを備えている。ここで、取込量調節部は、対象空間温度センサによる検知温度もしくは対象空間の設定温度と、共用空間温度センサによる検知温度と、の差異または比率に応じて空調負荷を抑えるように共用空間から対象空間への空気の取込量を調節する。ここでの、取込量を可変させる手段としては、開口の開度が変更可能なスライドシャッタや、切り替えダンパ等であってもよい。
【００４６】
ここでは、対象空間温度センサによる検知温度もしくは対象空間の設定温度と、共用空間温度センサによる検知温度と、の差異または比率によって、冷やしたい場合に暖かい空気を取り込んでしまうロス等のように、対象空間における換気がエネルギロスになるか否かを判断することができる。
【００４７】
これにより、共用空間から対象空間への不必要な空気の取込を抑えて、空調負荷を抑えることで省エネを図ることができる。
【発明の効果】
【００４８】
第１発明に係る換気システムでは、共用空間に対して取り込まれて新鮮な空気を、複数の対象空間の換気および空調に利用することができ、共用空間に隣接している複数の対象空間それぞれの快適性を向上させることが可能になる。
【００４９】
第２発明に係る換気システムでは、複数の対象空間のそれぞれの換気や空調のために利用される共用空間の空気を少ない台数の外気処理ユニットによって提供することが可能になる。
【００５０】
第３発明に係る換気システムでは、対象空間において調和されて回収されてくる空気を循環させて再度空調することにより空調負荷を低減させつつ、共用空間における新鮮な空気によって対象空間を新鮮な空気で換気することが可能になる。
【００５１】
第４発明に係る換気システムでは、複数の対象空間ユニットと伴に用いられる場合であっても、１台当たりの容量が小さい室外機を採用することが可能になる。
【００５２】
第５発明に係る換気システムでは、複数の外気処理ユニットと伴に用いられる場合であっても、１台当たりの容量が小さい室外機または熱源ユニットを採用することが可能になる。
【００５３】
第６発明に係る換気システムでは、熱交換器が、共用側通気口および第１対象側通気口のいずれか一方からケーシング内部に取り込まれる空気との間で熱交換を行うことで、温度が調和された空気を対象空間に送ることが可能になる。
【００５４】
第７発明に係る換気システムでは、共用側通気口および第１対象側通気口のいずれか一方もしくは両方からケーシング内部に取り込まれた空気の、熱交換器による温度調節をより確実に行うことが可能となる。
【００５５】
第８発明に係る換気システムでは、ケーシングの設置位置が共用空間との仕切板近傍となる場合であっても、対象空間側に向けて調和空気を吹き出すことで、対象空間の効率的な空調が可能になる。
【００５６】
第９発明に係る換気システムでは、共用空間と対象空間とを仕切っている仕切板をスッキリとさせることが可能になる。
【００５７】
第１０発明に係る換気システムでは、対象空間ユニットは、仕切板を介して隣接している共用空間の空気を利用する場合に、コンパクトな設計とすることが可能になる。
【００５８】
第１１発明に係る換気システムでは、複数の各対象空間ユニットは、外気処理ユニットの共用空間空調部によって一端調和されておりなおかつ新鮮な空気を利用して各対象空間の空調を行うことが可能になり、空調負荷を低減させることが可能になる。
【００５９】
第１２発明に係る換気システムでは、対象空間ユニットでは、各対象空間において要求されている空気質に近い空気を利用して空気調和を行うことが可能になるため、空調負荷を全体として低減させることが可能になる。
【００６０】
第１３発明に係る換気システムでは、複数の対象空間ユニットの熱交換器としては、被調和空気として、湿度が調整された空気を利用することができるため、顕熱熱交換のみを行う簡易な構成のものを採用しつつ、対象空間の湿度調節を行うことが可能になる。
【００６１】
第１４発明に係る換気システムでは、所定条件として対象空間の空調負荷や設定空調状態等に応じた条件を選択することで、共用空間の空気が過度に対象空間に対して取り込まれることを抑えることが可能になる。
【００６２】
第１５発明に係る換気システムでは、共用空間から対象空間への不必要な空気の取込を抑えて、空調負荷を抑えることで省エネを図ることができる。
【発明を実施するための最良の形態】
【００６３】
＜共用スペース媒介空調システム１００の概略構成＞
図１に、本発明の一実施の形態が採用された共用スペース媒介空調システム１００の概略構成を示す。また、図２に共用スペース媒介空調システム１００の冷媒回路の概略構成図を示す。
【００６４】
この共用スペース媒介空調システム１００は、図１について、複数の部屋（室内）Ｒａ〜Ｒｆを対象として空調を行う場合に各部屋に共通して隣接する共用スペース（廊下、ロビー、吹き抜け空間等）が設けられているホテル、オフィス、マンションもしくはアパート等の建物に対して採用されるシステムである。そして、この共用スペース媒介空調システム１００では、これらの複数の部屋Ｒａ〜Ｒｆそれぞれに対して仕切板Ｄａ〜Ｄｆ越しに隣接している共用スペースＣＳを介して複数の部屋Ｒａ〜Ｒｆの換気・空調を行うシステムである。
【００６５】
この共用スペース媒介空調システム１００は、主として、共用スペース空調装置１０と、複数の部屋Ｒａ〜Ｒｆそれぞれに設けられている複数の天井埋込型空調室内機２０と、複数台が互いに直列もしくは並列に接続されて共用スペース空調装置１０および天井埋込型空調室内機２０とともに冷媒回路を構成するマルチ室外機３０と、を備えている。
【００６６】
共用スペース媒介空調システム１００は、２台（もしくはそれ以上）の室外機３０ａ、３０ｂに対して複数の共用スペース空調装置１０ａ、１０ｂおよび複数の天井埋込型空調室内機２０ａ〜２０ｆが接続される、いわゆる室内マルチ型空気調和機であり、室外マルチ空調装置でもある。
【００６７】
この共用スペース媒介空調システム１００では、図２に示すように、２台の室外機３０ａ、３０ｂに対して、２台の共用スペース空調装置１０（１０ａ、１０ｂ）と、６台の天井埋込型空調室内機２０（２０ａ〜２０ｆ）と、が冷媒配管により接続されている。
【００６８】
（マルチ室外機）
マルチ室外機３０は、２台の室外機３０ａ、３０ｂから構成されている。これら２台の室外機３０ａおよび３０ｂは、同様の構成であるため、以下、室外機３０ａについて説明し、室外機３０ｂについては説明を省略する。
【００６９】
室外機３０ａは、図２に示すように、圧縮機３７ａ、四路切換弁３１ａ、室外熱交換器３２ａ、アキュムレータ３３ａ、複数の開閉弁３８などを備えている。また、圧縮機３７ａの吐出側には、圧縮機３７ａの吐出側の吐出管温度を検知するための吐出管サーミスタ３４ａが取り付けられている。室外機３０ａには外気温度を検知するための外気サーミスタ３５ａと、室外熱交換器３２ａの温度を検知するための室外熱交サーミスタ３６ａとを備えている。
【００７０】
これらの２台の室外機３０ａ、３０ｂは、冷媒配管を介して上述した共用スペース空調装置１０や天井埋込型空調室内機２０と接続されることで構成される冷媒回路の一部を担っている。ここでの共用スペース空調装置１０と天井埋込型空調室内機２０と室外機３０ａ、３０ｂとを接続する冷媒配管の接続形態は、各所に設けられている開閉弁３８の開閉を切り替えることにより、室外機３０ａ、３０ｂが互いに並列に接続されたり、直列に接続されたり切り替える。これより、マルチ室内機３０に対して接続されることで多くの容量が必要になる場合であってもマルチ室外機３０を直列に接続して同時に運転させることで対応でき、いずれかの室外機３０ａ、３０ｂが故障した場合であっても並列に接続した他の室外機３０ｂ、３０ａによって運転状態を維持することができる。
【００７１】
（共用スペース空調装置）
共用スペース空調装置１０（１０ａ、１０ｂ）は、図１に示すように、廊下等の共用スペースＣＳと屋外とを仕切る壁面等に設置されており、２台の共用スペース空調装置１０ａ、１０ｂとから構成されている。これらの共用スペース空調装置１０ａ、１０ｂについては同様な構成であるため、以下、共用スペース空調装置１０ａについて説明し、共用スペース空調装置１０ｂについては説明を省略する。
【００７２】
共用スペース空調装置１０ａは、図２に示すように、共用吸着熱交換器１６ａと電動弁１３ａとを備えており、共用吸着熱交換器１６ａと電動弁１３ａとは、直列に接続されている。共用吸着熱交換器１６ａは、表面に水分を吸着させる吸湿材が設けられたアルミ積層熱交換器であって、内部を流れる冷媒温度が調節されて潜熱負荷を処理することで、共用スペースＣＳに対して加湿された調和空気や、除湿された調和空気を供給する。電動弁１３ａは、共用吸着熱交換器１６ａの出口側に設けられており共用吸着熱交換器１６ａに流れる冷媒量を調整する。また、この共用スペース空調装置１０ａは、共用スペースＣＳの温度を検知するための共用スペース温度センサ１１ａと、共用吸着熱交換器１６ａの温度を検知するための共用吸着熱交サーミスタ１２ａとをそれぞれ備えている。共用吸着熱交換器１６ａと電動弁１３ａとの間の配管には、共用吸着熱交換器１６ａと電動弁１３ａとの間の液管温度を検知するための液管サーミスタ１４が設けられている。共用吸着熱交換器１６ａのガス管側には、内部を通過する冷媒温度を検知するガス管サーミスタ１５が設けられている。また、共用吸着熱交換器１６ａの近傍には、図示しない給気ファンと、排気ファンと、これらをそれぞれ回転駆動させるためのファンモータと、が設けられている。
【００７３】
そして、上述した各種センサなどから検知されたデータは、共用空調制御部１７ａ、１７ｂにおいて取得される。共用空調制御部１７ａ、１７ｂでは、このようにして取得された各種データに基づいて、給気ファン、排気ファンの回転数を調節し、共用吸着熱交換器１６ａ、１６ｂを流れる冷媒温度を調節することで、共用スペースＣＳに供給される屋外ＯＳの新鮮な空気の湿度を調節する。また、後述する各部屋Ｒａ〜Ｒｆ毎に設けられている室内温度センサ２１やコントローラ２７において設定入力された室内設定温度等と、上述した共用スペース温度センサ１１ａによる検知温度と、に基づいて、給気ファンや排気ファンの回転量を制御して共用スペースＣＳの換気量を制御したり、共用吸着熱交換器１６を流れる冷媒温度を制御して、水分を再生させたり、共用スペースＣＳに対して供給される温度を調節したりする。
【００７４】
なお、上述した共用スペース空調装置１０は、共用スペースＣＳに面して設けられている６台の天井埋込型空調室内機２０ａ〜３０ｆよりも少ない２台によって共用スペースＣＳを換気・空調することができる。このため、少数の共用スペース空調装置１０ａ、１０ｂによって、より多くの天井埋込型空調室内機２０ａ〜１０ｆが空調に利用する新鮮な調和空気を提供することができるため効率的なシステムとなっている。
【００７５】
（壁面設置型空調室内機）
天井埋込型空調室内機２０（２０ａ〜２０ｆ）は、図１および図３に示されているように、複数の部屋Ｒａ〜Ｒｆに対してそれぞれ設けられた天井埋込型空調室内機２０ａ〜２０ｆから構成されている。これらの天井埋込型空調室内機２０ａ〜２０ｆは、部屋Ｒａ〜Ｒｆ毎に設置されており、各部屋の空調を行う。これらの天井埋込型空調室内機２０ａ〜２０ｆについては同様な構成であるため、以下、天井埋込型空調室内機２０ａについて説明し、天井埋込型空調室内機２０２０ｂ〜２０ｆについては説明を省略する。
【００７６】
天井埋込型空調室内機２０ａは、共用スペースＣＳと各部屋Ｒａとを仕切る各壁面Ｄａの上方の天井部分に埋め込まれるようにして設けられており、共用スペースＣＳおよび部屋Ｒａをまたぐようにして、共用スペースＣＳおよび部屋Ｒａの両方の空間に面している。
【００７７】
６台の天井埋込型空調室内機２０ａ〜２０ｆは、図１に示すように、それぞれ別々の部屋Ｒ１〜Ｒ６に配置されている。これらの天井埋込型空調室内機２０ａ〜２０ｆについては同様な構成であるため、以下、天井埋込型空調室内機２０ａについて説明し、天井埋込型空調室内機２０ｂ〜２０ｆについては、説明を省略する。
【００７８】
天井埋込型空調室内機２０ａは、図２に示すように（図２では、天井埋込型空調室内機２０ｃ〜２０ｆについては図示を省略している）、室内熱交換器２６ａと電動弁２３ａとを備えており、室内熱交換器２６ａと電動弁２３ａとは、直列に接続されている。電動弁２３ａは、室内熱交換器２６ａの出口側に設けられており室内熱交換器２６ａに流れる冷媒量を調整する。また、この天井埋込型空調室内機２０ａは、室内Ｒａの温度を検知するための室内温度センサ２１ａと、室内熱交換器２６ａの温度を検知するための室内熱交サーミスタ２２ａとをそれぞれ備えている。室内熱交換器２６ａと電動弁２３ａとの間の配管には、室内熱交換器２６ａと電動弁２３ａとの間の液管温度を検知するための液管サーミスタ２４が設けられている。室内熱交換器２６ａのガス管側には、内部を通過する冷媒温度を検知するガス管サーミスタ２５が設けられている。また、室内熱交換器２６ａの近傍には、後述する室内ファン２９ａと、これらをそれぞれ回転駆動させるためのファンモータ（図示せず）と、が設けられて、後述する室内機ケーシング２８に収納されている。
【００７９】
そして、上述した各種センサなどから検知されたデータは、コントローラ２７ａ、２７ｂにおいて取得される。コントローラ２７ａ、２７ｂでは、このようにして取得された各種データに基づいて、室内ファン２９ａの回転数を調節し、室内熱交換器２６ａ、２６ｂを流れる冷媒温度を調節することで、共用スペースＣＳから取り込む空気量と、室内から取り込んで循環させる空気量とを調節して、部屋Ｒａに供給される新鮮な調和空気の量を調節したり、室内熱交換器２６ａに流れる冷媒温度を調節して顕熱熱交換によって温度を調節する。
【００８０】
以下、天井埋込型空調室内機２０ａを例に挙げて、設置状態および内部構成の詳細について説明する。
【００８１】
＜天井埋込型空調室内機の設置＞
天井埋込型空調室内機２０の室内機ケーシング２８ａは、図３に示すように、部屋Ｒａの天井に埋め込まれるようにして、共用スペースＣＳとの間を仕切る仕切板Ｄａに対して設けられている。室内機ケーシング２８ａは、循環空気を吸い込む室内吸込口８１ａと、調和空気を部屋Ｒａに対して吹き出す室内吹出口８２ａと、共用スペースＣＳ側に開口した共用スペース吸込口８３ａと、の３つの開口が設けられている。
【００８２】
そして、室内機ケーシング２８ａの内部には、室内熱交換器２６ａおよび室内ファン２９ａが収容されている。この室内熱交換器２６ａは、アルミ積層熱交換器である。この室内ファン２９ａは、図３に示すように、室内熱交換器２６ａと、室内吹出口８２ａとの間に配置されている。そして、室内ファン２９ａが回転駆動することにより、室内吸込口８１ａと共用スペース吸込口８３の近傍部分が負圧になるように配置されている。ここで、室内機ケーシング２８ａに設けられた室内吸込口８１は、略鉛直方向に向けて開口している。これにより、部屋Ｒａからの循環空気を下方から室内機ケーシング２８ａ内に取り込む際に下から上向きの空気流れが生じる。また、室内機ケーシング２８ａに設けられた共用スペース吸込口８３ａは、略水平方向に開口している。これにより共用スペースＣＳからの空気を室内機ケーシング２８ａ内に取り込む際に水平方向の空気流れが生じる。そして、これらの室内吸込口８１ａから吸い込まれる上方向の空気流れと、共用スペース吸込口８３ａから吸い込まれる水平方向空気流れと、が合流することで、略斜め上方向への空気流れが生じる部分がある。
【００８３】
室内熱交換器２６ａは、室内機ケーシング２８ａ内において、この合流した空気流れ方向に対して垂直になるように配置されている。これにより、空気流れが室内熱交換器２６ａの平面部分に対して効率よく接することができ、熱交換効率を向上させることができている。
【００８４】
また、室内ファン２９ａは、この合流した空気流れを、より確実に室内熱交換器２６ａを通過させるように室内ファン２９ａを回転駆動させることで、共用スペースＣＳから共用スペース吸込口８３ａを介して室内機ケーシング２８ａ内に取り込まれた空気が室内熱交換器２６ａ側に向かうことなく室内吸込口８１ａを介して部屋Ｒａに流れてしまうことを抑えることができる。また、同様にして、部屋Ｒａから室内吸込口８１ａを介して室内機ケーシング２８内に取り込まれた室内空気ＲＡａが室内熱交換器２６ａ側に向かうことなく共用スペース吸込口８３ａを介して共用スペースＣＳに流れ出てしまうことを抑えることができる。
【００８５】
なお、共用スペース吸込口８３ａには、図示しないスライドシャッタや、切り替えダンパ等が設けられ、共用スペースＣＳからの空気を取り込まない時は、これらのスライドシャッタや切り替えダンパが共用スペース吸込口を閉鎖して共用空気ＣＳの取込を停止して、室内空気ＲＡの循環だけによって部屋Ｒａの空調を行っている。
【００８６】
＜共用スペース媒介空調システム１００の空調動作＞
（共用スペースの換気・空調）
まず、共用スペース空調装置１０によって、共用スペースＣＳに対して、屋外ＯＳの新鮮な空気ＯＡが取り込まれる。そして、この際に、共用吸着熱交換器１６によって、新鮮な外気ＯＡは、湿度が調節されるとともに、温度も調節される。ここでの温度や湿度の調節は、共用空調制御部１７は、複数の部屋Ｒａ〜Ｒｆでどのような空調環境がコントローラ２７ａ〜２７ｆに設定入力要求されているのかを取得することで、共通している空調内容を把握する。また、共通した空調内容がある場合には、各空調内容毎に平均化されたデータを算出する。例えば、共用空調制御部１７は、複数の部屋Ｒａ〜Ｒｆの全ての部屋において「冷房運転」が要求されている場合には、この「冷房運転」を共通した空調内容として認識する。そして、共用空調制御部１７は、共通している「冷房運転」において、さらに詳細に、「冷房運転における設定温度・湿度は何度か？」という点について、各部屋Ｒａ〜Ｒｆの設定温度・湿度から平均を算出する。これにより、算出された平均温度・湿度を共用スペースに対して吹き出すことができるように、共用吸着熱交換器１６を流れる冷媒温度の温度を制御したり、給気ファンや排気ファンの回転数を制御したりする。
【００８７】
（各部屋の換気・空調）
上述した共用スペース空調装置１０によって共用スペースＣＳに取り込まれた新鮮で温度・湿度が調和された空気を利用して、それぞれの天井埋込型空調室内機２０ａ〜２０ｆが各部屋Ｒａ〜Ｒｆの空調を行う。ここで、各天井埋込型空調室内機２０ａ〜２０ｆは、まず、共用スペースＣＳに取り込まれた新鮮で調和された空気を室内機ケーシング２８ａ内部に取り込む。ここで、共用スペースＣＳから各部屋Ｒａ〜Ｒｆへの空気の取込量は、コントローラ２７が、共用スペース温度センサ１１による検知温度と室内温度センサ２１による検知温度との差異に応じて室内ファン２９のファンモータの回転数を制御することで調節する。
【００８８】
＜本実施形態の共用スペース媒介空調システム１００の特徴＞
（１）
本実施形態における共用スペース媒介空調システム１００では、共用スペース空調装置１０が、複数の部屋Ｒａ〜Ｒｆそれぞれに隣接している共用スペースＣＳを対象として屋外ＯＳの新鮮な空気を湿度調節の調和をさせて、取り込んでいる。そして、各部屋Ｒａ〜Ｒｆに対応して設けられている天井埋込型空調室内機２０ａ〜２０ｆでは、各部屋Ｒａ〜Ｒｆそれぞれの換気および空調を行う際に、共用スペースＣＳに取り込まれた新鮮な湿度が調節等された空気を利用することができる。これにより、共用スペースＣＳに対して取り込まれて新鮮な湿度調節等された空気を、複数の部屋Ｒａ〜Ｒｆの換気や空調に利用することができ、共用スペースＣＳに隣接している複数の部屋Ｒｓ〜Ｒｆそれぞれの空間の快適性を向上できる。また、各部屋Ｒａ〜Ｒｆは、隣接した空間である共用スペースＣＳに取り込まれた新鮮な外気を利用して換気されるため、壁面設置型空調室内機としては、換気を行うために屋外ＯＳまで伸びた長いダクト等を空調装置とは別個に設ける必要がなく、設備のイニシャルコストを削減できる。そして、従来のような長いダクトを用いて換気を行う場合に問題となっていた圧力損失について、上記実施形態の共用スペース媒介空調システム１００では、単に薄い仕切板Ｄａ〜Ｄｆを介しただけの短い流路を通過させるだけで換気を行うことができるので、このような圧力損失を低減できる。これにより、室内ファン２９を回転駆動させるために必要とされていたファンモータの省エネ化が可能になり、ランニングコストを削減できる。
【００８９】
また、従来の空気調和装置のような各部屋だけを対象とした換気・空調では、これらの複数の部屋Ｒａ〜Ｒｆを利用している複数の人間が共用する共用スペースＣＳについても、共用スペース空調装置１０による空調で快適性を向上できる。
【００９０】
（２）
また、上記実施形態の共用スペース媒介空調システム１００では、天井埋込型空調室内機２０の室内機ケーシング２９は、共用スペースＣＳ側に開口した共用スペース吸込口８３と、室内側に開口した室内吸込口８１と、の２つが吸込口として設けられている。そして、天井埋込型空調室内機２０は、室内の循環空気ＲＡだけでなく共用空気ＣＡをも利用した空調を行うことで各部屋Ｒａ〜Ｒｆの空調を行っている。このように、天井埋込型空調室内機２０の空調において、各部屋Ｒａ〜Ｒｆにおいて調和されて回収されてくる空気を循環させて循環空気ＲＡを再度空調することにより空調負荷を低減させつつ、共用スペースＣＳにおける新鮮な共用空気ＣＡによって各部屋Ｒａ〜Ｒｆを換気できる。さらに、共用スペースＣＳにおける湿度調節された共用空気ＣＡによって、各部屋Ｒａ〜Ｒｆ毎に設けられた天井埋込型空調室内機２０ａ〜２０ｆでは、室内熱交換器２６において顕熱熱交換を行うだけで、湿度調節された調和空気を各部屋Ｒａ〜Ｒｆに対して供給することができる。
【００９１】
（３）
本実施形態における共用スペース媒介空調システム１００では、複数の室外機３０ａ、３０ｂからなるマルチ室外機３０によって冷媒回路が構成されている。ここで、これらの室外機３０ａ、３０ｂは、互いに直列に接続したり、互いに並列に接続したり、相互に切り替えることができる。このため、複数の共用スペース空調装置１０ａ、１０ｂや複数の天井埋込型空調室内機２０ａ〜２０ｆと伴に冷媒回路を構成する場合であっても、室外機３０ａ、３０ｂの１台当たりの容量を低く抑えることができる。また、複数の室外機３０ａ、３０ｂのいずれかが故障した場合であっても、複数の室外機３０ａ、３０ｂを互いに並列に接続させることで、故障時に対応することが可能になる。
【００９２】
（４）
本実施形態における共用スペース媒介空調システム１００では、天井埋込型空調室内機２０は、仕切板Ｄａ〜Ｄｆを介して隣接している共用スペースＣＳの空気を利用するので、室内機ケーシング２８の設計において、設計薄型化、コンパクト化が容易になっている。
【００９３】
（５）
本実施形態における共用スペース媒介空調システム１００では、各部屋Ｒａ〜Ｒｆに対してそれぞれ天井埋込型空調室内機２０ａ〜２０ｆから供給される調和空気ＳＡａ〜ＳＡｆは、共用スペース空調装置１０によって一端調和され、なおかつ、この調和された新鮮な空気を利用して各天井埋込型空調室内機２０ａ〜２０ｆにおいてさらに空調処理を施した空気である。このため、各部屋Ｒａ〜Ｒｆに対して十分に調和された調和空気ＳＡを供給でき、各部屋Ｒａ〜Ｒｆをより快適にすることができ、各天井埋込型空調室内機２０ａ〜２０ｆにおける空調負荷も低減される。
【００９４】
（６）
本実施形態における共用スペース媒介空調システム１００では、共用スペース空調装置１０は、複数の部屋Ｒａ〜Ｒｆにおいて共通して要求されている共通空気調和データ、もしくは、平均して要求されている平均空気調和データを取得し、取得したデータに応じた調和制御を行って、得られる空気を共用スペースＣＳに吹き出している。このため、共用スペース空調装置１０が共用スペースＣＳに供給するために外気ＯＡを空調する場合に、複数の部屋Ｒａ〜Ｒｆそれぞれにおいて必要とされる調和空気を提供することができる。これにより、各天井埋込型空調室内機２０ａ〜２０ｆでは、空調処理に際して、各部屋Ｒａ〜Ｒｆにおいて要求されている空気質に近い空気を利用できるため、空調負荷を全体として低減させることができる。
【００９５】
（７）
本実施形態における共用スペース媒介空調システム１００では、適切な湿度の空気に調節できるようにするため、共用スペース空調装置１０でのみ共用吸着熱交換器１６が採用されて、潜熱熱交換が行われている。このため、各天井埋込型空調室内機２０の室内熱交換器２６では、顕熱熱交換を行うだけで足りる。
【００９６】
（８）
本実施形態における共用スペース媒介空調システム１００では、各天井埋込型空調室内機２０ａ〜２０ｆのコントローラ２７による空調制御によって、共用スペースＣＳから各部屋Ｒａ〜Ｒｆへの必要以上の共用空気ＣＡの取り込みを抑えることができる。これにより、調和状態を維持された状態の部屋に対して、調和状態を害するような空気の過度な取り込みを抑えて、空調負荷を抑えることで省エネを図ることができる。
【００９７】
＜他の実施形態＞
以上、本発明の一実施形態について説明したが、本発明は上記実施形態に限定されるものではなく、発明の要旨を逸脱しない範囲で種々の変更が可能である。
【００９８】
（Ａ）
上記実施形態における共用スペース媒介空調システム１００では、複数の共用スペース空調装置１０ａ、１０ｂと、複数の天井埋込型空調室内機２０ａ〜２０ｆと、マルチ室外機３０と、が冷媒配管によって接続されて冷媒回路が構成されている場合を例に挙げて説明した。
【００９９】
しかし、本発明はこれに限られるものではなく、マルチ室外機３０は、必ずしも共用スペース空調装置１０に対して接続されている必要はない。共用スペース空調装置１０ａ〜１０ｆは、外部に設けられた温水ボイラや冷凍機等の他の熱源機器等と接続されることで、例えば冷温水が循環するように構成される等して冷凍サイクルを構成するようにしてもよい。
【０１００】
（Ｂ）
上記実施形態における共用スペース媒介空調システム１００では、複数の室外機３０ａ、３０ｂからなるマルチ室外機３０に対して複数の共用スペース空調装置１０ａ、１０ｂおよび複数の天井埋込型空調室内機２０ａ〜２０ｆが接続されたマルチタイプのシステムを例に挙げて説明した。
【０１０１】
しかし、本発明はこれに限られるものではなく、各共用スペース空調装置１０ａ、１０ｂや天井埋込型空調室内機２０ａ〜２０ｆが各室外機３０ａ、３０ｂに対して１対１に接続されたペア型システムであってもよい。
【０１０２】
（Ｃ）
上記実施形態における共用スペース媒介空調システム１００では、除湿・加湿は、共用スペース空調装置１０においてのみ行う場合を例に挙げて説明した。
【０１０３】
しかし、本発明はこれに限られるものではなく、共用スペース空調装置１０だけでなく、各天井埋込型空調室内機２０ａ〜２０ｆにおいても、例えば吸着室内熱交換器を採用する等して、除湿・加湿を行うことができる構成を採用してもよい。
【０１０４】
（Ｄ）
上記実施形態における共用スペース媒介空調システム１００では、共用スペース空調装置１０が共用スペースＣＳの換気・空調を行い、各天井埋込型空調室内機２０ａ〜２０ｆが各部屋Ｒａ〜Ｒｆの換気・空調を行う場合を例に挙げて説明した。
【０１０５】
しかし、本発明はこれに限られるものではなく、共用スペースＣＳから各部屋Ｒａ〜Ｒｆに共用空気ＣＡを取り込む場合において温度調節や湿度調節等の処理が不要であり、単に共用スペースに取り込まれた新鮮な空気を各部屋に送るだけで足りる場合には、室内熱交換器２６を上述した天井埋込型空調室内機２０ａ〜２０ｆが備えさせる代わりに、単なるサーキュレータを採用するようにしてもよい。
【０１０６】
（Ｅ）
上記実施形態における共用スペース媒介空調システム１００では、空調室内機として天井埋込型空調室内機２０を例に挙げて説明した。
【０１０７】
しかし、本発明はこれに限られるものではなく、共用スペース媒介空調システム１００に採用される空調室内機としては、図４に示すように、仕切板Ｄａ〜Ｄｆと伴に共用スペースＣＳと各部屋Ｒａ〜Ｒｆとを仕切るようにして壁面に設置され、共用スペースＣＳと部屋Ｒａ〜Ｒｆとをまたぐようにして配置される壁面設置型空調室内機２２０ａであってもよい。この壁面設置型空調室内機２２０ａの場合であっても、上記実施形態と同様の効果を奏することができる。また、壁面設置型空調室内機２２０ａを採用した場合には、部屋に居るユーザの視界に入り易い壁面をスッキリとさせることができる。
【０１０８】
ここで、壁面設置型空調室内機２２０ａでは、室内ファン２９として両吸込型のシロッコファンを採用することで、薄型化しつつ、共用スペースＣＳ側からの吸い込みおよび部屋Ｒａからの吸い込みの両方を可能にしている。そして、共用スペースＣＳ側の吹出口８４ａは、スライドシャッタ２８４（もしくはスライドダンパ等）が設けられ、コントローラ２７によって開閉制御されることで、開度を調節できるように構成されている。これにより、共用スペースＣＳ側から部屋Ｒａ側に流れる空気の量を調節することができる。
【０１０９】
（Ｆ）
上記実施形態における共用スペース媒介空調システム１００では、各部屋Ｒａ〜Ｒｆに共通して要求されている共通空調データや、各部屋Ｒａ〜Ｒｆにおいて要求されている空調条件の平均である平均空調データ等を利用して共用スペース空調装置１０が空調制御を行う場合を例に挙げて説明した。
【０１１０】
しかし、本発明はこれに限られるものではなく、共用スペース空調装置１０の制御の基準となる要素としては、例えば、各部屋Ｒａ〜Ｒｆの空調負荷、設定空調状態、もしくは、共用空気ＣＡの部屋Ｒａ〜Ｒｆへの取り込みを間欠的とする、等の条件に基づく制御としてもよい。
【０１１１】
（Ｇ）
上記実施形態における共用スペース媒介空調システム１００では、共用スペース空調装置１０において湿度調節を行う場合を例に挙げて説明した。
【０１１２】
しかし、本発明はこれに限られるものではなく、湿度調節に限られず、共用スペースＣＳに屋外ＯＳの空気を取り込む際に、花粉や塵埃等を除去したり、空気中のカビ菌等の各種菌を駆除するような空気清浄機能をさらに備えさせてもよい。これにより、複数の天井埋込型空調室内機２０ａ〜２０ｆでは、特に空気清浄化処理をするまでもなく、各部屋Ｒａ〜Ｒｆに対して、新鮮で、温度調節され、粉塵除去、除菌等の処理が施された調和空気を供給することができる。これにより、各部屋Ｒａ〜Ｒｆをより一層快適な状態にすることができる。
【産業上の利用可能性】
【０１１３】
本発明によれば、複数の空間および複数の空間それぞれに隣接した空間を対象として換気を行う場合において各空間の快適性を効率的に向上させることが可能になるため、複数の空間を対象として空調を行う場合に各空間に共通して隣接する共用空間が設けられている建物の空調システムとして利用することが特に有用である。
【図面の簡単な説明】
【０１１４】
【図１】本発明の一実施形態に係る共用スペース媒介空調システムの概略構成。
【図２】共用スペース媒介空調システムの冷媒回路図。
【図３】天井埋込型空調室内機の設置状況および内部構造を示す図。
【図４】他の実施形態（Ｅ）に係る壁面設置型空調室内機の設置状況および内部構造を示す図。
【符号の説明】
【０１１５】
１０    共用スペース空調装置（外気処理ユニット）
１１    共用スペース温度センサ（共用空間温度センサ）
１６    共用吸着熱交換器（吸着部）
１７    共用空調制御部（共用空間空調部）
２０    天井埋型壁空調室内機（対象空間ユニット）
２１    室内温度センサ（対象空間温度センサ）
２６    室内熱交換器（熱交換器）
２７    コントローラ（対象空間空調部、設定温度検知部、取込量調節部）
２８    室内機ケーシング（ケーシング）
２９    室内ファン
３０    マルチ室外機（室外機）
８１ａ    室内吸込口（第１対象側通気口）
８２ａ    室内吹出口（第２対象側通気口）
８３ａ    共用スペース吸込口（共用側通気口）
１００    共用スペース媒介空調システム（換気システム）
ＣＡ    共用空気（共用空間の空気）
Ｄａ〜Ｄｆ    仕切板
ＣＳ    共用スペース（共用空間）
ＯＡ    外気
ＯＳ    屋外
Ｒａ〜Ｒｆ    部屋（対象空間）
ＲＡａ〜ＲＡｆ    循環空気（対象空間の空気）
ＳＡａ〜ＳＡｆ    調和空気
【図１】
0004520960.tif 000002
【図２】
0004520960.tif 000003
【図３】
0004520960.tif 000004
【図４】
0004520960.tif 000005